(57)【要約】【課題】映像に掛けるトランジション設定の手間を削減する。【解決手段】実施形態における映像作成装置は、再生時において時間的に先行する先行映像クリップを指定して保持する先行映像クリップ保持部と、先行映像クリップに時間的に後続する後続映像クリップを指定して保持する後続映像クリップ保持部と、コンテキスト情報をもとに、先行映像クリップ保持部に保持される先行映像クリップの映像終端から一定時間遡った区間としての終端部分と、後続映像クリップ保持部に保持される後続映像クリップの映像始端から一定時間経過した区間としての先頭部分との間で映像を動的に遷移させて、終端部分と先頭部分とを接合するためのトランジション映像を生成するトランジション適用部と、先行映像クリップと後続映像クリップとをトランジション映像で接合して一体化した映像クリップを出力する出力部とを有する。【選択図】図１
2015220695.tif 000002
【特許請求の範囲】
【請求項１】
映像を記録する映像記録部と、
前記映像と同時に記録されたセンサ情報であって、前記映像以外のコンテキスト情報を記録するコンテキスト記録部と、
前記コンテキスト情報に基づいて前記記録した映像を加工する映像処理部とを備える映像作成装置であって、
前記映像処理部は、
前記記録した映像を複数の映像クリップに分割して、再生時において時間的に先行する先行映像クリップを指定して保持する先行映像クリップ保持部と、
前記分割した映像クリップにおける、前記先行映像クリップに時間的に後続する後続映像クリップを指定して保持する後続映像クリップ保持部と、
前記コンテキスト記録部に記録されたコンテキスト情報をもとに、前記先行映像クリップ保持部に保持される先行映像クリップの映像終端から一定時間遡った区間としての終端部分と、前記後続映像クリップ保持部に保持される後続映像クリップの映像始端から一定時間経過した区間としての先頭部分との間で映像を動的に遷移させて、前記終端部分と前記先頭部分とを接合するためのトランジション映像を生成するトランジション適用部と、
前記先行映像クリップと前記後続映像クリップとをトランジション映像で接合して一体化した映像クリップを出力する出力部とを有する
ことを特徴とする映像作成装置。
【請求項２】
前記コンテキスト記録部は、前記記録した映像の音声を前記コンテキスト情報として記録し、
前記トランジション適用部は、
前記コンテキスト情報で示される、前記後続映像クリップの先頭部分での前記音声の音量が増大するように変化しているときは当該先頭部分にフェードインのトランジションを掛け、
前記先行映像クリップの終端部分での前記音声の音量が減少するように変化しているときは当該終端部分にフェードアウトのトランジションを掛ける
ことを特徴とする請求項１に記載の映像作成装置。
【請求項３】
前記コンテキスト記録部は、前記記録した映像の撮影時刻または撮影位置を前記コンテキスト情報として記録し、
前記トランジション適用部は、
前記コンテキスト情報で示される、前記先行映像クリップと前記後続映像クリップとのつなぎ目での撮影時刻の差分、または撮影位置の差分が所定値以上であるときは、前記先行映像クリップと前記後続映像クリップとの重複部分にディゾルブのトランジションを掛ける
ことを特徴とする請求項１に記載の映像作成装置。
【請求項４】
前記コンテキスト記録部は、前記記録した映像の撮影方向を前記コンテキスト情報として記録し、
前記トランジション適用部は、
前記コンテキスト情報で示される、前記複数の映像クリップのつなぎ目での前記後続映像クリップの撮影方向が前記先行映像クリップの撮影方向より右側のときは、当該後続映像クリップの音声を右側へパンし、
前記コンテキスト情報で示される、前記後続映像クリップの撮影方向が前記先行映像クリップの撮影方向より左側のときは、当該後続映像クリップの音声を左側へパンする
ことを特徴とする請求項１に記載の映像作成装置。
【請求項５】
前記コンテキスト記録部は、前記記録した映像の撮影方向を前記コンテキスト情報として記録し、
前記トランジション適用部は、
前記コンテキスト情報で示される、前記先行映像クリップの終端部分の撮影方向が左へ変化しているときは、当該終端部分に左のスライドアウトのトランジションを掛け、
前記コンテキスト情報で示される、前記先行映像クリップの終端部分の撮影方向が右へ変化しているときは、当該終端部分に右のスライドアウトのトランジションを掛ける
ことを特徴とする請求項１に記載の映像作成装置。
【請求項６】
映像を記録する映像記録部と、前記映像と同時に記録されたセンサ情報であって、前記映像以外のコンテキスト情報を記録するコンテキスト記録部と、前記コンテキスト情報に基づいて前記記録した映像を加工する映像処理部とを備える映像作成装置により実行される映像作成方法であって、
前記映像処理部は、
前記記録した映像を複数の映像クリップに分割して、再生時において時間的に先行する先行映像クリップを指定して保持し、
前記分割した映像クリップにおいて、前記先行映像クリップに時間的に後続する後続映像クリップを指定して保持し、
前記コンテキスト記録部に記録されたコンテキスト情報をもとに、前記保持される先行映像クリップの映像終端から一定時間遡った区間としての終端部分と、前記保持される後続映像クリップの映像始端から一定時間経過した区間としての先頭部分との間で映像を動的に遷移させて、前記終端部分と前記先頭部分とを接合するためのトランジション映像を生成し、
前記先行映像クリップと前記後続映像クリップとをトランジション映像で接合して一体化した映像クリップを出力する
ことを特徴とする映像作成方法。
【請求項７】
請求項１に記載の映像作成装置の一部分として動作するコンピュータに用いられるプログラムであって、
前記コンピュータを、
前記映像記録部、前記コンテキスト記録部、および前記映像処理部として機能させるための映像作成処理プログラム。
【発明の詳細な説明】
【技術分野】
【０００１】
本発明の実施形態は、映像作成装置、映像作成方法、および映像作成処理プログラムに関する。
【背景技術】
【０００２】
一般に映像文法といわれる、映像編集の構成ルールがあり、例えば、（１）映像の先頭部分で音量を徐々に増大させて、フェードインのトランジションを掛ける、（２）映像の終端部分で音量を徐々に減少させて、フェードアウトのトランジションを掛ける、（３）撮影時の時間が映像間で大きく異なるとき、または、撮影場所が映像間で大きく異なるときは、映像のつなぎ目にディゾルブのトランジションを掛ける、（４）右側の人物の話す音声を右にパンし、左側の人物の話す音声を左にパンする、（５）映像の終端部分でカメラを右に振った場合は、この終端部分に対しスライドアウト(右)のトランジションを掛け、映像の終端部分でカメラを左に振った場合は、この終端部分に対しスライドアウト(左)のトランジションを掛ける、といった編集を行う。
【０００３】
特許文献１では、映像編集時に画面内でのポインティング位置に応じて映像の再生方法を変えることで、映像を連続して再生しながら編集作業を行う方法が述べられている。
【先行技術文献】
【特許文献】
【０００４】
【特許文献１】特開２０１２−４９８４０号公報
【発明の概要】
【発明が解決しようとする課題】
【０００５】
しかし、上記の構成では、映像の各部分、撮影時の時間や場所の相違、人物の話す位置や撮影方向については、例えば映像の出力画面を参照しながら映像の編集者が適宜確認する必要がある。このため、トランジション設定のための手間を多く要している。
【０００６】
本発明が解決しようとする課題は、トランジション設定の手間を削減することができる映像作成装置、映像作成方法、および映像作成処理プログラムを提供することである。
【課題を解決するための手段】
【０００７】
上記目的を達成するために、本発明の実施形態における映像作成装置の第１の態様は、映像を記録する映像記録部と、前記映像と同時に記録されたセンサ情報であって、前記映像以外のコンテキスト情報を記録するコンテキスト記録部と、前記コンテキスト情報に基づいて前記記録した映像を加工する映像処理部とを備える映像作成装置であって、前記映像処理部は、前記記録した映像を複数の映像クリップに分割して、再生時において時間的に先行する先行映像クリップを指定して保持する先行映像クリップ保持部と、前記分割した映像クリップにおける、前記先行映像クリップに時間的に後続する後続映像クリップを指定して保持する後続映像クリップ保持部と、前記コンテキスト記録部に記録されたコンテキスト情報をもとに、前記先行映像クリップ保持部に保持される先行映像クリップの映像終端から一定時間遡った区間としての終端部分と、前記後続映像クリップ保持部に保持される後続映像クリップの映像始端から一定時間経過した区間としての先頭部分との間で映像を動的に遷移させて、前記終端部分と前記先頭部分とを接合するためのトランジション映像を生成するトランジション適用部と、前記先行映像クリップと前記後続映像クリップとをトランジション映像で接合して一体化した映像クリップを出力する出力部とを有する。
【０００８】
上記構成の映像作成装置の第２の態様は、第１の態様において、前記コンテキスト記録部は、前記記録した映像の音声を前記コンテキスト情報として記録し、前記トランジション適用部は、前記コンテキスト情報で示される、前記後続映像クリップの先頭部分での前記音声の音量が増大するように変化しているときは当該先頭部分にフェードインのトランジションを掛け、前記先行映像クリップの終端部分での前記音声の音量が減少するように変化しているときは当該終端部分にフェードアウトのトランジションを掛ける。
【０００９】
上記構成の映像作成装置の第３の態様は、第１の態様において、前記コンテキスト記録部は、前記記録した映像の撮影時刻または撮影位置を前記コンテキスト情報として記録し、前記トランジション適用部は、前記コンテキスト情報で示される、前記先行映像クリップと前記後続映像クリップとのつなぎ目での撮影時刻の差分、または撮影位置の差分が所定値以上であるときは、前記先行映像クリップと前記後続映像クリップとの重複部分にディゾルブのトランジションを掛ける。
【００１０】
上記構成の映像作成装置の第４の態様は、第１の態様において、前記コンテキスト記録部は、前記記録した映像の撮影方向を前記コンテキスト情報として記録し、前記トランジション適用部は、前記コンテキスト情報で示される、前記複数の映像クリップのつなぎ目での前記後続映像クリップの撮影方向が前記先行映像クリップの撮影方向より右側のときは、当該後続映像クリップの音声を右側へパンし、前記コンテキスト情報で示される、前記後続映像クリップの撮影方向が前記先行映像クリップの撮影方向より左側のときは、当該後続映像クリップの音声を左側へパンする。
【００１１】
上記構成の映像作成装置の第５の態様は、第１の態様において、前記コンテキスト記録部は、前記記録した映像の撮影方向を前記コンテキスト情報として記録し、前記トランジション適用部は、前記コンテキスト情報で示される、前記先行映像クリップの終端部分の撮影方向が左へ変化しているときは、当該終端部分に左のスライドアウトのトランジションを掛け、前記コンテキスト情報で示される、前記先行映像クリップの終端部分の撮影方向が右へ変化しているときは、当該終端部分に右のスライドアウトのトランジションを掛ける。
【００１２】
本発明の実施形態における映像作成方法は、映像を記録する映像記録部と、前記映像と同時に記録されたセンサ情報であって、前記映像以外のコンテキスト情報を記録するコンテキスト記録部と、前記コンテキスト情報に基づいて前記記録した映像を加工する映像処理部とを備える映像作成装置により実行される映像作成方法であって、前記映像処理部は、前記記録した映像を複数の映像クリップに分割して、再生時において時間的に先行する先行映像クリップを指定して保持し、前記分割した映像クリップにおいて、前記先行映像クリップに時間的に後続する後続映像クリップを指定して保持し、前記コンテキスト記録部に記録されたコンテキスト情報をもとに、前記保持される先行映像クリップの映像終端から一定時間遡った区間としての終端部分と、前記保持される後続映像クリップの映像始端から一定時間経過した区間としての先頭部分との間で映像を動的に遷移させて、前記終端部分と前記先頭部分とを接合するためのトランジション映像を生成し、前記先行映像クリップと前記後続映像クリップとをトランジション映像で接合して一体化した映像クリップを出力する。
【００１３】
本発明の実施形態における映像作成処理プログラムは、上記の映像作成装置の一部分として動作するコンピュータに用いられるプログラムであって、前記コンピュータを、前記映像記録部、前記コンテキスト記録部、および前記映像処理部として機能させる。
【発明の効果】
【００１４】
本発明によれば、映像に掛けるトランジション設定の手間を削減することができる。
【図面の簡単な説明】
【００１５】
【図１】本発明の実施形態における映像作成装置の構成例を示す図。
【図２】映像作成のための一般的な操作画面の一例を示す図。
【図３】本発明の実施形態における映像作成装置による処理手順の一例を示すフローチャート。
【図４】本発明の実施形態における映像作成装置によるトランジジョン映像生成処理の第１の例を示すフローチャート。
【図５】本発明の実施形態における映像作成装置によるトランジジョン映像生成処理の第２の例を示すフローチャート。
【図６】本発明の実施形態における映像作成装置によるトランジジョン映像生成処理の第３の例を示すフローチャート。
【図７】本発明の実施形態における映像作成装置によるトランジジョン映像生成処理の第４の例を示すフローチャート。
【発明を実施するための形態】
【００１６】
以下、図面を参照して、この発明に係る実施形態を説明する。  
図１は、本発明の実施形態における映像作成装置の構成例を示す図である。  
本発明の実施形態における映像作成装置１０は、例えばパーソナルコンピュータ、携帯電話、タブレット端末などである。  
映像作成装置１０は、ＣＰＵやメモリ等のハードウェアとソフトウェアプログラムとによって構成され、映像記録部１１、コンテキスト記録部１２、映像処理部１３を備える。映像処理部１３には、ディスプレイ１８、マウス１９、キーボード２０が接続される。
【００１７】
映像記録部１１は、ズーム機構４１を有するカメラ４０が撮影した映像を記録する。  
コンテキスト記録部１２は、映像と同時に記録されたセンサ情報であって、映像以外のコンテキスト情報を記録する。映像処理部１３は、映像記録部１１により記録した映像をコンテキスト情報に基づいて加工する。
【００１８】
後述するように、複数の映像クリップのつなぎ目にトランジションを掛けるために、映像処理部１３は、先行映像クリップ保持部１４、後続映像クリップ保持部１５、トランジション適用部１６、出力部１７を有する。
【００１９】
先行映像クリップ保持部１４は、映像記録部１１により記録した映像を複数の映像クリップに分割して、この分割した映像クリップにおける、再生時において時間的に先行して再生する先行映像クリップを指定して内部メモリに保持する。
【００２０】
後続映像クリップ保持部１５は、上記のように分割した映像クリップにおける、先行映像クリップに時間的に後続して再生する後続映像クリップを指定して、内部メモリに保持する。
【００２１】
トランジション適用部１６は、コンテキスト記録部１２に記録されたコンテキスト情報をもとに、先行映像クリップ保持部１４に保持される先行映像クリップの映像終端から一定時間遡った区間としての終端部分と、後続映像クリップ保持部１５に保持される後続映像クリップの映像始端から一定時間経過した区間としての先頭部分との間で映像を動的に遷移させて、２つの映像区間、つまり終端部分と先頭部分とを接合するためのトランジション映像を生成する。
【００２２】
出力部１７は、先行映像クリップと後続映像クリップとをトランジション映像で接合して一体化した映像クリップをディスプレイ１８に出力したり、ネットワーク３０に出力したりする。
【００２３】
図２は、映像作成のための一般的な操作画面の一例を示す図である。  
図２に示すように、ディスプレイ１８に表示される映像作成画面には、時系列に沿って複数の映像クリップとしての動画ファイル１０１（先行映像クリップに相当）、および動画ファイル１０２（後続映像クリップに相当）を配置できる。動画ファイル１０１の終端部分と動画ファイル１０２の先頭部分とは一部重複していてもよい。  
さらに、映像作成画面には映像クリップを加工するためのトランジションを動画ファイル１０１の終端部分の少なくとも一部と動画ファイル１０２の先頭部分の少なくとも一部との間のシーンチェンジ１０３として配置できる。ユーザは、シーンチェンジ１０３を、マウス１９、キーボード２０を用いて指定することができる。シーンチェンジ１０３は、動画ファイル１０１の映像終端を含まなくてもよく、動画ファイル１０２の映像始端を含まなくてもよい。
【００２４】
図３は、本発明の実施形態における映像作成装置による処理手順の一例を示すフローチャートである。  
まず、映像処理部１３の先行映像クリップ保持部１４は、映像記録部１１が記録した映像の先頭映像を先行映像クリップとして内部メモリに保持する（ステップＳ１）。  
次に、映像処理部１３の後続映像クリップ保持部１５は、映像記録部１１が記録した映像の後続映像を後続映像クリップとして内部メモリに保持する（ステップＳ２）。
【００２５】
映像処理部１３のトランジション適用部１６は、先行映像クリップ保持部１４に保持された先行映像クリップの終端部分と後続映像クリップ保持部１５に保持された後続映像クリップの先頭部分との間のトランジジョン映像生成処理を行って（ステップＳ３）、トランジジョンが適用された先行映像クリップと後続先行映像クリップとでなる映像クリップを生成する（ステップＳ４）。  
出力部１７は、上記のように生成された映像クリップをディスプレイ１８に出力する（ステップＳ５）。
【００２６】
次に、トランジジョン映像処理の詳細について説明する。  
図４は、本発明の実施形態における映像作成装置によるトランジジョン映像生成処理の第１の例を示すフローチャートである。  
まず、映像処理部１３のトランジション適用部１６は、先行映像クリップ保持部１４に保持された先行映像クリップと後続映像クリップ保持部１５に保持された後続映像クリップとを取得する（ステップＳ３１）。
【００２７】
また、映像記録部１１による処理と同時に、映像処理部１３のコンテキスト記録部１２は、マイク（マイクロフォン）５０から音声を入力することで、映像クリップの音声情報をコンテキスト情報として内部メモリに記録している。
【００２８】
トランジション適用部１６は、上記のように生成した映像クリップの音声情報を音量情報としてコンテキスト記録部１２から取得する（ステップＳ３２）。  
トランジション適用部１６は、上記のように取得した音量情報に基づいて、後続映像クリップの先頭部分についての音量の変化を求める（ステップＳ３３）。なお、先頭部分をどの程度の長さとするかは、あらかじめ指定することができる。
【００２９】
ステップＳ３３の処理の具体例を説明する。例えば、音声がサンプリングされて、x(t)の形式で記録されているとする。  
トランジション適用部１６は、後続映像クリップの先頭部分0≦t≦tsの範囲について、サンプルの二乗X(t)=(x(t))2を求める。  
トランジション適用部１６は、は、X(t)に対して最小自乗法で一次近似し、X(t) ≒at + bとなるaとbを求める。  
aが、あらかじめ指定するある閾値より大きいとき、トランジション適用部１６は、後続映像クリップの先頭部分で音量が増大するように変化していると判断する。  
トランジション適用部１６は、後続映像クリップの先頭部分で音量が増大するように変化していると判断したときは（ステップＳ３４のＹＥＳ）、当該先頭部分にフェードインのトランジションを掛ける（ステップＳ３５）。  
フェードインとは、画面全体が黒色の状態から、指定した映像クリップの色まで徐々に変化することである。  
時刻tにおける点( x, y)の映像クリップの輝度をLi( x, y, t)とした場合、出力部１７は、出力する映像の輝度をLo( x, y, t)= Li( x, y, t)×t÷tsとする。
【００３０】
次に、トランジション適用部１６は、上記のように取得した音量情報に基づいて、先行映像クリップの終端部分についての音量の変化を求める（ステップＳ３６）。なおＭ終端部分をどの程度の長さとするかは、あらかじめ指定することができる。
【００３１】
ステップＳ３３の処理の具体例を説明する。例えば、音声がサンプリングされて、x(t)の形式で記録されているとする。  
トランジション適用部１６は、映像クリップの終端部分te≦t≦Tの範囲について、サンプルの二乗X(t)=(x(t))2を求める。トランジション適用部１６は、X(t)に対して最小自乗法で一次近似し、X(t) ≒ at + bとなるaとbを求める。  
aが、あらかじめ指定するある閾値より小さいとき、トランジション適用部１６は、先行映像クリップの終端部分で音量が減少するように変化していると判断する。
【００３２】
トランジション適用部１６は、先行映像クリップの終端部分の音量が減少するように変化していると判断したときは（ステップＳ３７）、当該終端部分にフェードアウトのトランジションを掛けて、トランジジョン映像生成処理を終了する（ステップＳ３８）。  
フェードアウトとは、画面全体が指定した映像クリップの色から黒色まで徐々に変化することである。  
時刻tにおける点( x, y)の映像クリップの輝度をLi( x, y, t)とすると、出力部１７は、出力する映像の輝度をLo( x, y, t)= Li( x, y, t)×(T-t)÷(T-te)とする。
【００３３】
次に、トランジジョン映像生成処理の第２の例について説明する。  
図５は、本発明の実施形態における映像作成装置によるトランジジョン映像生成処理の第２の例を示すフローチャートである。  
まず、映像処理部１３のトランジション適用部１６は、先行映像クリップ保持部１４に保持された先行映像クリップと後続映像クリップ保持部１５に保持された後続映像クリップとを取得する。
【００３４】
また、映像記録部１１による処理と同時に、映像処理部１３のコンテキスト記録部１２は、タイマ６０から時刻情報を入力し、ＧＰＳ装置７０から位置情報を入力することで、映像クリップの撮影時刻および撮影位置の情報をコンテキスト情報として内部メモリに記録している。
【００３５】
トランジション適用部１６は、上記の先行映像クリップの撮影時刻および撮影位置の情報をコンテキスト記録部１２から取得し、さらに、後続映像クリップの撮影時刻および撮影位置の情報をコンテキスト記録部１２から取得する（ステップＳ１０１）。
【００３６】
トランジション適用部１６は、先行映像クリップの撮影時刻と後続映像クリップの撮影時刻との差が所定時間以上である、または、先行映像クリップの撮影位置と後続映像クリップの撮影位置との差が所定距離以上であると判断したときは（ステップＳ１０２のＹＥＳ）、先行映像クリップと後続映像クリップとの重複部分にディゾルブのトランジションを掛けて、トランジジョン映像生成処理を終了する（ステップＳ１０３）。  
ディゾルブとは、画面全体が先行する映像から後続する映像へ徐々に変化することであり、例えば先行映像クリップの終端部分にフィードアウトを施しながら後続映像クリップの先頭部分にフェードインを施すことで実現される。  
時刻tにおける点( x, y)の先行する映像クリップの輝度をL1( x, y, t)、後続する映像クリップの輝度をL2( x, y, t)とする。ts≦t≦teの範囲にディゾルブを掛けるとすると、トランジション適用部１６は、出力する映像の輝度をLo( x, y, t)= L1( x, y, t)×(t -te)÷(ts -te)+ L2( x, y, t)×(ts -t)÷(ts -te)とする。
【００３７】
次に、トランジジョン映像生成処理の第３の例について説明する。  
図６は、本発明の実施形態における映像作成装置によるトランジジョン映像生成処理の第３の例を示すフローチャートである。  
まず、映像処理部１３のトランジション適用部１６は、先行映像クリップ保持部１４に保持された先行映像クリップと後続映像クリップ保持部１５に保持された後続映像クリップとを取得する。
【００３８】
また、映像記録部１１による処理と同時に、映像処理部１３のコンテキスト記録部１２は、方位磁石８０から方向の情報することで、先行映像クリップの撮影方向および後続映像の撮影方向の情報をコンテキスト情報として内部メモリに記録している。
【００３９】
トランジション適用部１６は、上記の先行映像クリップの撮影方向の情報をコンテキスト記録部１２から取得し、さらに、後続映像クリップの撮影方向の情報をコンテキスト記録部１２から取得する（ステップＳ１１１）。
【００４０】
トランジション適用部１６は、後続映像クリップの撮影方向が後続映像クリップの撮影方向より右側であると判断したときは（ステップＳ１１２のＹＥＳ）、後続映像クリップの音声を右側にパンする（ステップＳ１１３）。
【００４１】
そして、トランジション適用部１６は、後続映像クリップの撮影方向が後続映像クリップの撮影方向より左側であると判断したときは（ステップＳ１１４のＹＥＳ）、後続映像クリップの音声を左側にパンして、トランジジョン映像生成処理を終了する（ステップＳ１１５）。
【００４２】
次に、トランジジョン映像生成処理の第４の例について説明する。  
図７は、本発明の実施形態における映像作成装置によるトランジジョン映像生成処理の第４の例を示すフローチャートである。  
まず、映像処理部１３のトランジション適用部１６は、先行映像クリップ保持部１４に保持された先行映像クリップと後続映像クリップ保持部１５に保持された後続映像クリップとを取得する。
【００４３】
また、映像記録部１１による処理と同時に、映像処理部１３のコンテキスト記録部１２は、方位磁石８０から方向の情報することで、先行映像クリップの撮影方向をコンテキスト情報として内部メモリに記録している。
【００４４】
トランジション適用部１６は、上記の先行映像クリップの撮影方向の情報をコンテキスト記録部１２から取得する（ステップＳ１２１）。  
トランジション適用部１６は、先行映像クリップの終端部分で撮影方向が左に変化したと判断したときは（ステップＳ１２２のＹＥＳ）、この先行映像クリップの終端部分にスライドアウト（左）のトランジジョンを掛ける（ステップＳ１２３）。
【００４５】
そして、トランジション適用部１６は、先行映像クリップの終端部分で撮影方向が右に変化したと判断したときは（ステップＳ１２４のＹＥＳ）、この先行映像クリップの終端部分にスライドアウト（右）のトランジジョンを掛けて、トランジジョン映像生成処理を終了する（ステップＳ１２５）。
【００４６】
以上のように、本発明の実施形態では、映像撮影時に同時に取得されるコンテキスト情報を用いて、映像に掛けるトランジションを自動的に決定することができるので、映像に掛けるトランジション設定の手間を削減することができる。
【００４７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４８】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【符号の説明】
【００４９】
１０…映像記録装置、１１…映像記録部、１２…コンテキスト記録部、１３…映像処理部、１４…先行映像クリップ保持部、１５…後続映像クリップ保持部、１６…トランジジョン適用部、１７…出力部、１８…ディスプレイ、１９…マウス、２０…キーボード、４０…カメラ、５０…マイク、６０…タイマ、７０…ＧＰＳ装置、８０…方位磁石。
【図１】
2015220695.tif 000003
【図２】
2015220695.tif 000004
【図３】
2015220695.tif 000005
【図４】
2015220695.tif 000006
【図５】
2015220695.tif 000007
【図６】
2015220695.tif 000008
【図７】
2015220695.tif 000009